(57)【要約】【課題】信頼性の優れた電気泳動表示装置およびこれを備える電子機器を提供すること。【解決手段】本適用例の電気泳動表示装置１は、第１の基板としての素子基板２と第２の基板としての透明基板３０に挟持された電気泳動層３１と、素子基板２に封止部材７を介して接合され、透明基板３０を挟んで電気泳動層３１を封止する第３の基板としての保護基板４とを備え、素子基板２と保護基板４は、透明基板３０に対して平面的に張り出した張出し部を有し、封止部材７は、保護基板４の外縁側に隙間を有して張出し部において充填されている。【選択図】図２
2010181856.tif 000002
【特許請求の範囲】
【請求項１】
第１の基板および第２の基板と、
前記第１の基板と前記第２の基板とに挟持された電気泳動層と、
前記第２の基板を挟んで前記第１の基板の反対側に配置され、かつ前記第１の基板に封止部材を介して接合され、前記第２の基板を挟んで前記電気泳動層を封止する第３の基板とを備えた電気泳動表示装置であって、
前記第１の基板と前記第３の基板は、前記第２の基板に対して平面的に張り出した張出し部を有し、
前記封止部材は、前記第３の基板の外縁側に隙間を有して前記張出し部において充填されていることを特徴とする電気泳動表示装置。
【請求項２】
前記隙間に前記封止部材よりも弾性率が小さい部材が配置されていることを特徴とする請求項１に記載の電気泳動表示装置。
【請求項３】
前記隙間に面する前記第１の基板と前記第３の基板の稜部に面取りが施されていることを特徴とする請求項１又は２に記載の電気泳動表示装置。
【請求項４】
前記第１の基板の前記張出し部の少なくとも１辺部に、外部回路と接続するための接続端子が設けられており、
前記接続端子が設けられた前記張出し部は、他の前記張出し部より長いことを特徴とする請求項１乃至３のいずれか一項に記載の電気泳動表示装置。
【請求項５】
請求項１乃至４のいずれか一項に記載の電気泳動表示装置を備える電子機器。
【請求項６】
第１のマザー基板上のうち、各々が１つの電気泳動表示装置に相当する複数のパネル領域のそれぞれに電気泳動層を配置する工程と、
前記第１のマザー基板上のうち、隣り合う前記電気泳動層の間に、前記電気泳動層との間で間隙を有した状態でダム材を配置する工程と、
前記第１のマザー基板の前記電気泳動層側に第２のマザー基板を貼り合わせる工程と、
前記第１のマザー基板、前記第２のマザー基板、前記ダム材、前記電気泳動層に囲まれた領域に封止材料を充填し、前記封止材料を硬化させて封止部材を形成する工程と、
前記ダム材が配置されている領域に沿って前記第１のマザー基板および前記第２のマザー基板を切断する工程とを有し、
前記ダム材の弾性率は、前記封止部材の弾性率より小さいことを特徴とする電気泳動表示装置の製造方法。
【請求項７】
第１のマザー基板上のうち、各々が１つの電気泳動表示装置に相当する複数のパネル領域のそれぞれに電気泳動層を配置する工程と、
前記第１のマザー基板上のうち、隣り合う前記電気泳動層の間に、前記電気泳動層との間で間隙を有した状態でダム材を配置する工程と、
前記第１のマザー基板の前記電気泳動層側に第２のマザー基板を貼り合わせる工程と、
前記第１のマザー基板、前記第２のマザー基板、前記ダム材、前記電気泳動層に囲まれた領域に封止材料を充填し、前記封止材料を硬化させて封止部材を形成する工程と、
前記ダム材が配置されている領域に沿って前記第１のマザー基板および前記第２のマザー基板を切断する工程と
前記第１のマザー基板および前記第２のマザー基板を切断する工程の後に、前記ダム材を除去する工程と、
を有することを特徴とする電気泳動表示装置の製造方法。
【発明の詳細な説明】
【技術分野】
【０００１】
本発明は、電気泳動表示装置およびこれを備える電子機器、電気泳動表示装置の製造方法に関する。
【背景技術】
【０００２】
電気泳動表示装置として、一対の基板間にマイクロカプセル表示層が挟持されたマイクロカプセル型電気泳動表示パネルが知られている（特許文献１）。
【０００３】
図１５は上記マイクロカプセル型電気泳動表示パネルを示す概略断面図である。図１５に示すように、上記マイクロカプセル型電気泳動表示パネル２００は、一対の基板としての透明樹脂膜２０１と基板２０５との間にマイクロカプセル表示層２０３が挟持されている。
【０００４】
上記マイクロカプセル型電気泳動表示パネル２００は、まず、透明樹脂膜２０１に設けられた共通電極としての透明電極層２０２上にスクリーン印刷によりマイクロカプセルを含む電子インクを印刷し、マイクロカプセル表示層２０３を形成する。
次に、マイクロカプセル表示層２０３上に第１の接着層２０４を形成した後に、パネルの周縁領域に対応する部分のマイクロカプセル表示層２０３と第１の接着層２０４とを除去する。
そして、第１の接着層２０４を介して基板２０５を貼り付ける。基板２０５には画素電極とこれに対応した薄膜トランジスター、信号電極および走査電極が併設されている（図示省略）。
透明樹脂膜２０１と基板２０５との隙間を樹脂で埋めることにより、マイクロカプセル表示層２０３の周縁領域に第１の水蒸気遮断性樹脂層２０６を形成する。これにより水分の浸入によってマイクロカプセル表示層２０３の特性が劣化することを効果的に防止できるとしている。
一方の基板である透明樹脂膜２０１の材料として、ポリエチレンテレフタレート、ポリメタクリル酸メチル、ポリカーボネートなどが挙げられている。他方の基板２０５は、ガラス基板または樹脂フィルムであるとしている。
また、第１の水蒸気遮断性樹脂層２０６の材料としては、熱または紫外線硬化性のアクリル樹脂、メタクリル樹脂、エポキシ樹脂が挙げられている。
【先行技術文献】
【特許文献】
【０００５】
【特許文献１】特開２００５−１１４８２２号公報
【発明の概要】
【発明が解決しようとする課題】
【０００６】
上記マイクロカプセル型電気泳動表示パネル２００の構成において、例えば、一対の基板をガラス基板とした場合、一対の基板の線膨張係数は、第１の水蒸気遮断性樹脂層２０６の線膨張係数より小さくなる。例えば信頼性試験として、−２０℃から８５℃の熱衝撃試験や熱サイクル試験を行った場合には、線膨張係数の違いによって、一対の基板と第１の水蒸気遮断性樹脂層２０６との間で局部的な応力が生ずる。ガラス基板の外縁には、切断加工時のマイクロクラック等の加工歪が存在する。したがって、上記局部的な応力によって加工歪を起点としてクラックが進行し、ガラス基板が破壊されてしまうことがあった。
ガラス基板が破壊されると、ガラス基板に設けられた電極等に電気的な破損が生じて表示不具合が発生するだけでなく、水分が浸入して信頼性が低下するという課題があった。
【課題を解決するための手段】
【０００７】
本発明は、上記課題の少なくとも一部を解決するためになされたものであり、以下の適用例または形態として実現することが可能となる。
【０００８】
［適用例１］本適用例の電気泳動表示装置は、第１の基板および第２の基板と、前記第１の基板と前記第２の基板とに挟持された電気泳動層と、前記第２の基板を挟んで前記第１の基板の反対側に配置され、かつ前記第１の基板に封止部材を介して接合され、前記第２の基板を挟んで前記電気泳動層を封止する第３の基板とを備えた電気泳動表示装置であって、前記第１の基板と前記第３の基板は、前記第２の基板に対して平面的に張り出した張出し部を有し、前記封止部材は、前記第３の基板の外縁側に隙間を有して前記張出し部において充填されていることを特徴とする。
【０００９】
この構成によれば、例えば−２０℃から８５℃の熱衝撃試験や熱サイクル試験を行った場合、封止部材と第３の基板の外縁側には隙間があるので、封止部材と第３の基板とにおける線膨張係数の違いに起因する局部的な応力が発生しても、外縁に存在する加工歪を起点とした少なくとも第３の基板の破壊を防ぎ、信頼性の優れた電気泳動表示装置を実現することができる。
【００１０】
［適用例２］上記適用例の電気泳動表示装置において、前記隙間に前記封止部材よりも弾性率が小さい部材が配置されていることが好ましい。
【００１１】
この構成によれば、例えば−２０℃から８５℃の熱衝撃試験や熱サイクル試験を行った場合、第１の基板および第３の基板と上記部材との間で線膨張係数の違いに起因して発生する局部的な応力を小さくすることが可能となり、少なくとも第３の基板の外縁に存在する加工歪を起点とした破壊を低減することができる。
【００１２】
［適用例３］上記適用例の電気泳動表示装置において、前記隙間に面する前記第１の基板と前記第３の基板の稜部に面取りが施されていることが好ましい。
【００１３】
この構成によれば、稜部を面取りすることにより第１の基板や第３の基板の外縁に存在する加工歪が除去される。したがって、例えば−２０℃から８５℃の熱衝撃試験や熱サイクル試験を行った場合に、第１の基板および第３の基板と封止部材との間で線膨張係数の違いに起因して局部的な応力が発生しても、第１の基板および第３の基板の外縁に存在する加工歪が除去されているので、第１の基板および第３の基板の破壊を防止することができる。
【００１４】
尚、面取りとは、稜部を切削やケミカルエッチング等することにより、当初の稜部よりも大きな角度を有する複数の稜部により構成することをいう。また、稜部を切削やケミカルエッチング等することにより稜部を丸め、曲面によって基板端部が構成されたＲ面取りでもよい。
【００１５】
［適用例４］上記適用例の電気泳動表示装置において、前記第１の基板の前記張出し部の少なくとも１辺部に、外部回路と接続するための接続端子が設けられており、前記接続端子が設けられた前記張出し部は、他の前記張出し部より長いことを特徴とする。
【００１６】
この構成によれば、例えば−２０℃から８５℃の熱衝撃試験や熱サイクル試験を行った場合に、外縁に存在する加工歪を起点とした第１の基板の破壊を低減し、外部回路との接続信頼性を向上させることができる。
【００１７】
［適用例５］本適用例の電子機器は、上記適用例の電気泳動表示装置を備えたことを特徴とする。
【００１８】
この構成によれば、例えば−２０℃から８５℃の熱衝撃試験や熱サイクル試験を行った場合に、封止部材と第３の基板とにおける線膨張係数の違いに起因する局部的な応力の発生による少なくとも第３の基板の破壊が低減された電気泳動表示装置を備え、優れた信頼性を有する電子機器を提供することができる。
【００１９】
［適用例６］本適用例の電気泳動表示装置の製造方法は、第１のマザー基板上のうち、各々が１つの電気泳動表示装置に相当する複数のパネル領域のそれぞれに電気泳動層を配置する工程と、前記第１のマザー基板上のうち、隣り合う前記電気泳動層の間に、前記電気泳動層との間で間隙を有した状態でダム材を配置する工程と、前記第１のマザー基板の前記電気泳動層側に第２のマザー基板を貼り合わせる工程と、前記第１のマザー基板、前記第２のマザー基板、前記ダム材、前記電気泳動層に囲まれた領域に封止材料を充填し、前記封止材料を硬化させて封止部材を形成する工程と、前記ダム材が配置されている領域に沿って前記第１のマザー基板および前記第２のマザー基板を切断する工程とを有し、前記ダム材の弾性率は、前記封止部材の弾性率より小さいことを特徴とする。
【００２０】
この方法によれば、第１のマザー基板から切り出された基板と、第２のマザー基板から切り出された基板との間に電気泳動層を有し、かつこれら一対の基板の間の領域のうち、基板の外縁部にダム材が、また基板の外縁部を除く領域に封止部材がそれぞれ配置されている電気泳動表示装置が得られる。このような電気泳動表示装置は、基板と封止部材との線膨張係数の違いによって歪みが生じたとしても、基板の外縁部に配置されたダム材の弾性率がその内側に配置された封止部材の弾性率より小さいため、基板の外縁部において局部的な応力が発生しにくい。このため、基板の外縁部から電気泳動表示装置が破壊されることを防止することができる。
【００２１】
［適用例７］本適用例の他の電気泳動表示装置の製造方法は、第１のマザー基板上のうち、各々が１つの電気泳動表示装置に相当する複数のパネル領域のそれぞれに電気泳動層を配置する工程と、前記第１のマザー基板上のうち、隣り合う前記電気泳動層の間に、前記電気泳動層との間で間隙を有した状態でダム材を配置する工程と、前記第１のマザー基板の前記電気泳動層側に第２のマザー基板を貼り合わせる工程と、前記第１のマザー基板、前記第２のマザー基板、前記ダム材、前記電気泳動層に囲まれた領域に封止材料を充填し、前記封止材料を硬化させて封止部材を形成する工程と、前記ダム材が配置されている領域に沿って前記第１のマザー基板及び前記第２のマザー基板を切断する工程と、前記第１のマザー基板及び前記第２のマザー基板を切断する工程の後に、前記ダム材を除去する工程と、を有することを特徴とする。
【００２２】
この方法によれば、第１のマザー基板から切り出された基板と、第２のマザー基板から切り出された基板との間に電気泳動層を有し、かつこれら一対の基板の間の領域のうち、基板の外縁部を除く領域に封止部材を有する電気泳動表示装置が得られる。このような電気泳動表示装置は、基板と封止部材との線膨張係数の違いによって歪みが生じたとしても、基板の外縁部に封止部材が配置されていないことから、外縁部に局部的な応力が発生しにくい。このため、基板の外縁部から電気泳動表示装置が破壊されることを防止することができる。
【図面の簡単な説明】
【００２３】
【図１】第１の実施形態に係る電気泳動表示装置の構成を示す概略平面図。
【図２】図１のＡ−Ａ線で切った概略断面図。
【図３】図１のＢ−Ｂ線で切った概略断面図。
【図４】第１の実施形態に係る電気泳動表示装置の製造方法を示す概略平面図。
【図５】第１の実施形態に係る電気泳動表示装置の製造方法を示す概略平面図。
【図６】第１の実施形態に係る電気泳動表示装置の製造方法を示す概略平面図。
【図７】第１の実施形態に係る電気泳動表示装置の製造方法を示す概略断面図。
【図８】第１の実施形態に係る電気泳動表示装置の製造方法を示す概略平面図。
【図９】第１の実施形態に係る電気泳動表示装置の製造方法を示す概略断面図。
【図１０】第１の実施形態に係る電気泳動表示装置の製造方法を示す概略断面図。
【図１１】第１の実施形態に係る電気泳動表示装置の製造方法を示す概略断面図。
【図１２】第２の実施形態に係る電気泳動表示装置の構造を示す概略断面図。
【図１３】第３の実施形態に係る電気泳動表示装置の構成を示す概略断面図。
【図１４】（ａ）は、第４の実施形態に係る電子機器の一例である電子ブックを示す斜視図、（ｂ）は、第４の実施形態に係る電子機器の一例である腕時計を示す斜視図。
【図１５】従来のマイクロカプセル型電気泳動表示パネルの構成を示す概略断面図。
【発明を実施するための形態】
【００２４】
以下、本発明にかかる電気泳動表示装置の実施の形態を、図面を参照して説明する。なお、以下に述べる実施の形態は、本発明の好適な具体例であり、技術的に好ましい種々の限定が付されている。しかし、本発明の範囲は、以下の説明において特に本発明を限定する旨の記載がない限り、これらの形態に限られるものではない。また、以下の説明で用いる図面では、各層や各部材を図面上で認識可能な程度の大きさとするため、これらの縮尺を実際のものとは異なるように表わしている。
【００２５】
（第１の実施形態）
図１は第１の実施形態に係る電気泳動表示装置の構成を示す概略平面図、図２は図１のＡ−Ａ線で切った概略断面図、図３は図１のＢ−Ｂ線で切った概略断面図である。
【００２６】
図１〜図３に示すように、本実施形態の電気泳動表示装置１は、第１の基板としての素子基板２と、電気泳動シート３と、第３の基板としての保護基板４とを備えており、素子基板２と電気泳動シート３とが貼り合わされ、電気泳動シート３上に保護基板４が配置された構成になっている。電気泳動表示装置１には静止画や動画等の画像を表示する表示領域５が設けられている。表示領域５内にはマトリクス状に配列された複数の画素が設けられており、画素ごとに表示が行われるようになっている。表示領域５の周囲は、画像が表示されない非表示領域６となっている。この非表示領域６には画素が設けられておらず、駆動回路素子２２および２３、端子２４などが設けられている。
【００２７】
素子基板２は、電気泳動表示装置１を駆動するための電極や素子、配線等が設けられた矩形の基板２０を有している。基板２０として、例えばガラス基板、石英基板、シリコン基板、ガリウム砒素基板などや、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００２８】
図２に示すように、基板２０のうち表示領域５に対応する領域には駆動層２１が形成されている。この駆動層２１には各画素に設けられる画素電極やスイッチング素子、当該スイッチング素子に接続されるデータ線および走査線などが形成されている。
駆動回路素子２２および２３はこの駆動層２１から外れた領域に設けられている。当該駆動回路素子２２および２３はデータ線や走査線に電気的に接続されており、駆動層２１に信号を供給するようになっている。
素子基板２の端部（図中では右端）には、複数の端子２４が設けられており、素子基板２上に形成されている図示しない配線によって駆動回路素子２２および２３に接続されている。
【００２９】
基板２０の裏面２０ｂには接続基板８が貼り付けられている。接続基板８は例えばガラスエポキシなどの絶縁部材からなるコア部材８ａとコア部材８ａ上に設けられた接続電極８ｂとを有しており、外観が緑色になっている。
図１および図２に示すように、コア部材８ａは一辺が基板２０の外縁からはみ出すと共に、基板２０の裏面２０ｂ全面を覆うように貼り付けられた矩形の板状部材である。接続電極８ｂは例えば銅などの金属からなりコア部材８ａの上記一辺に沿って複数設けられている。接続電極８ｂは例えば銅などの金属からなるワイヤー１０を介して基板２０の表面２０ａに設けられた端子２４に接続されている。
【００３０】
電気泳動シート３は第２の基板としての透明基板３０および電気泳動層３１を有している。透明基板３０は電気泳動層３１を保持する基板であり、例えばポリエチレンテレフタレート（ＰＥＴ）、ポリエーテルスルホン（ＰＥＳ）、ポリカーボネート（ＰＣ）など光透過性の高い材料からなる矩形の基板である。透明基板３０の表面３０ａ側は電気泳動表示装置１の表示面側になっている。透明基板３０の内面３０ｂにはほぼ全面に不図示の共通電極が形成されている。共通電極は例えばＩＴＯなどの光透過性の高い導電材料で構成されており、上下導通材９によって素子基板２に電気的に接続されている。
【００３１】
電気泳動層３１は複数のマイクロカプセル（電気泳動物質層）３２および接着層３３を有している。
マイクロカプセル３２は電気泳動分散液が封入された略球状のカプセルであり、各カプセルの直径はほぼ同一（５０μｍ〜１００μｍ）になっている。マイクロカプセル３２のカプセル壁膜を形成する材料としては、アラビアゴム・ゼラチンの複合膜、ウレタン樹脂、ウレア樹脂、尿素樹脂などの化合物が挙げられる。マイクロカプセル３２に封入された電気泳動分散液は電気的刺激に対応して光学特性が変化する電気光学物質であり、電気泳動粒子および当該電気泳動粒子を分散させる液相分散媒からなる。
【００３２】
液相分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００３３】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３４】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００３５】
接着層３３は、バインダを兼ねた熱接着剤である。接着層３３としては、マイクロカプセル３２のカプセル壁膜に対する親和性が良好で、共通電極および画素電極に対する接着性に優れ、かつ絶縁性の良い接着剤であることが好ましい。
【００３６】
保護基板４は光透過性が高く、平坦度が優れ、キズつきにくいガラスなどが適している。具体的には、無機ガラスや、クリスタルガラスを用いることができる。また、サファイヤガラスや、アクリルガラスであっても良い。この保護基板４と電気泳動シート３とは、例えば両面テープなどの透明な接着層１１により固定されている。
図２および図３に示すように、電気泳動シート３の周縁から張り出している素子基板２および保護基板４の張出し部に封止部材７が設けられている。封止部材７を構成する材料としては、例えばエポキシ系、アクリル系、シリコン系の樹脂などが挙げられる。本実施形態では、封止部材７はエポキシ樹脂で形成されている。
また、封止部材７は、素子基板２の端子２４と接続基板８の接続電極８ｂおよびこれらを接続するすべてのワイヤー１０を覆うように設けられており、素子基板２と接続基板８との接続を構成する部位は封止部材７によって覆われた状態になっている。
【００３７】
電気泳動層３１は素子基板２と透明基板３０とで挟持されていると共に保護基板４によって覆われており、さらに周縁部が封止部材７で封止されている。水分を嫌う電気泳動層３１がこのように覆われていることにより、水分の浸入を確実に防止することができるようになっている。さらに、本実施形態では、素子基板２および保護基板４の張出し部に対応する領域のすべてに封止部材７が設けられておらず、少なくとも保護基板４の外縁側に隙間を有している。言い換えれば、保護基板４や素子基板２の外縁側の端部４ａ，２ａに封止部材７が接しない構造となっている。
【００３８】
次に、上記電気泳動表示装置１の製造方法について図４〜図１１を参照して説明する。図４〜図１１は電気泳動表示装置の製造方法を示す概略図である。
本実施形態では、複数の電気泳動表示パネルの集合体（マザー基板の集合体）を形成し、当該集合体（マザー基板の集合体）をダイシングテープ上に配置し、ダイシングブレード等によりこの集合体（マザー基板の集合体）を切断することによって個々の電気泳動表示装置１に個片化する、いわゆる多面取りと呼ばれる手法を例に挙げて説明する。
【００３９】
まず、図４に示すように、第１のマザー基板としてのマザー素子基板４０の表面４０ａに複数のパネル領域Ｐを形成する。各パネル領域Ｐのうち表示領域５には画素電極やスイッチング素子などを形成し、非表示領域６には前述した駆動回路素子２２，２３や端子２４、配線などを形成する。この１つ１つのパネル領域Ｐが１つ１つの電気泳動表示装置１となる。パネル領域Ｐを形成した後、粘着テープなどを介してマザー接続基板４１をマザー素子基板４０の裏面４０ｂに貼り付ける。マザー接続基板４１を貼り付けた後、電気泳動層３１を含む電気泳動シート３を各パネル領域Ｐの表示領域５に対応した所定の位置に貼り付ける。
【００４０】
電気泳動シート３を貼り付けた後、図５に示すように、マザー素子基板４０上の端子２４とマザー接続基板４１上の接続電極８ｂとの間をワイヤー１０によって接続する。ワイヤー１０による接続後、図６および図７に示すように、マザー素子基板４０上のうち電気泳動シート３を貼り付けた領域およびワイヤー接続された領域以外の領域に、必要な封止領域を残してダム材５０を配置する。このダム材５０を構成する材料としては、例えばシリコンゴムなどが挙げられ、その厚みを後に貼り合わされるマザー素子基板４０とマザー保護基板４４との隙間と同じかやや大きく形成することで、個々の電気泳動表示装置１の周縁側の端部となる領域に封止部材７が流れ込むことを防いでいる。
【００４１】
ダム材５０の配置後、図８および図９に示すように、電気泳動シート３の上方に第２のマザー基板としてのマザー保護基板４４を貼り合わせる。例えば複数のパネル領域Ｐのうち図８中上側の行のパネル領域Ｐを覆うように１枚のマザー保護基板４４を配置し、図８中下側の行のパネル領域Ｐを覆うようにもう１枚のマザー保護基板４４を配置する。これらのマザー保護基板４４は、接着層１１を介して電気泳動シート３に貼り合わされる。
【００４２】
マザー保護基板４４を貼り合わせたときの構成を図９に示す。同図に示すように、接着層１１を介して電気泳動シート３とマザー保護基板４４とが貼り合わされている。この状態でダム材５０と電気泳動シート３との間に封止部材７を流し込み、封止領域を形成する。より詳しくは、マザー素子基板４０、マザー保護基板４４、ダム材５０、電気泳動シート３によって囲まれた領域に封止材料を流し込んで充填し、硬化させることによって、図１０に示すように、該封止領域に封止部材７を形成する。
【００４３】
封止部材７の硬化後、図１１に示すように、マザー接続基板４１が下になるようにダイシングテープ（不図示）上に配置し、ダム材５０が設けられた領域に沿ってダイシングブレード（不図示）によってマザー基板の集合体（マザー接続基板４１、マザー素子基板４０、マザー保護基板４４）を切断する。
【００４４】
切断後にマザー素子基板４０とマザー保護基板４４の間に配置されたダム材５０を取り除くことにより、個々の電気泳動表示装置１を得る。個片化された電気泳動表示装置１の素子基板２および保護基板４の外縁側の端部２ａ，４ａ（図３参照）には、ダイシング切断によるマイクロクラック等の加工歪が存在する。
【００４５】
このように、本実施形態によれば、マザー素子基板４０上の表示領域５と当該表示領域５に対応するマザー接続基板４１上の接続電極８ｂとをそれぞれワイヤー１０によって接続した後、ワイヤー接続された領域および封止領域を除く電気泳動シート３の周囲にダム材５０を配置し、電気泳動シート３の上面およびダム材５０の上面にマザー保護基板４４を貼り合わせることとしたので、マザー保護基板４４とマザー素子基板４０の切断領域に封止部材７が接することなく封止することが可能となる。
したがって、前述した張出し部において保護基板４の外縁側に隙間を有した構造の電気泳動表示装置１が得られる。封止部材７は切断による加工歪が存在する素子基板２や保護基板４の端部２ａ，４ａと接していない。このため、例えば−２０℃から８５℃の熱衝撃試験や熱サイクル試験を行った場合に、基板材料と封止部材７との線膨張係数の違いによって、素子基板２あるいは保護基板４と封止部材７との間で局部的な応力が発生したとしても、マイクロクラック等の加工歪を起点として保護基板４や素子基板２が破壊されることを防止することができる。さらには、素子基板２側に設けられた駆動回路素子２２，２３やこれに繋がる配線等の断裂を防ぐと共に、基板端部の加工歪から水分等が電気泳動シート３に浸入することを防ぐことができる。
電気泳動表示装置１では、保護基板４と素子基板２との間に透明基板３０やマイクロカプセル３２等が配置されているため、保護基板４と素子基板２との間隔、すなわち封止部材７の厚さは、数十μｍ、場合によっては１００μｍ以上になる。よって、電気泳動表示装置１の封止部材７は、例えば厚さが数μｍ程度である液晶装置のシール材（液晶装置の２枚の基板を貼り合わせるためのシール材）と比較して、熱収縮による絶対的な変形量が一桁ないし二桁程度大きくなる。このため、電気泳動表示装置１においては封止部材７の熱収縮による基板破壊等の不具合が生じやすい。一方、液晶装置ではこうした不具合はほとんど生じない。本実施形態における封止部材７は、このような電気泳動表示装置１に特有の不具合を解消できるように構成されたものであり、液晶装置等のシール材とは構成、作用、効果がいずれも異なるものである。
【００４６】
また、上記実施形態においては、いわゆる多面取りと呼ばれる手法によって電気泳動表示装置１を製造する例を説明したが、これに限られることはなく、当該電気泳動表示装置１を１つずつ個別に製造する場合であっても適用可能である。
【００４７】
個別に製造する場合、素子基板２の表面の表示領域５に電気泳動シート３を貼り付け、接続電極８ｂを有する接続基板８を素子基板２の裏面に貼り合わせ、表示領域５と接続電極８ｂとをワイヤー１０によって接続し、当該ワイヤー１０による接続後、電気泳動シート３の周囲にダム材５０を配置し、接着層１１を介して電気泳動シート３の上面およびダム材５０の上面に保護基板４を貼り合わせることにより、電気泳動表示装置１の製造が可能である。
【００４８】
また、上記実施形態においては、封止部材７の構成材料をエポキシ樹脂としたが、これに限られることは無く、上記実施形態で挙げた材料を含む他の材料を構成材料としても勿論構わない。
【００４９】
また、上記実施形態においては、ダム材５０の構成材料をシリコンゴムとしたが、これに限られることは無く、上記実施形態で挙げた材料を含む他の材料を構成材料としても勿論構わない。
【００５０】
（第２の実施形態）
図１２は第２の実施形態に係る電気泳動表示装置の構造を示す概略断面図である。なお、上述した第１の実施形態に係る電気泳動表示装置１と共通する構成要素については同じ符号を用いており、それらについて詳細な説明は省略する。
【００５１】
図１２に示すように、本実施形態の電気泳動表示装置１００は、接続基板８、素子基板２、ワイヤー接続、電気泳動シート３、保護基板４、封止部材７、を含んで構成されている。第１の実施形態に係る電気泳動表示装置１との相違点は張出し部の構成態様であり、以下この相違点について詳細に説明する。
【００５２】
第１の実施形態において説明した素子基板２および保護基板４の張出し部の隙間に粘着性ダム材５１がさらに充填されている。粘着性ダム材５１は、少なくとも保護基板４の端部に至る隙間を埋めるように充填されている。
【００５３】
粘着性ダム材５１は、第１の実施形態のダム材５０と同様に封止部材７が素子基板２や保護基板４の端部２ａ，４ａに接するのを防止することができる。また、構成材料はアクリル系の粘着材からなり、封止部材７（例えばエポキシ系樹脂）の弾性率に比べ小さい。
本実施形態によれば、張出し部の隙間が粘着性ダム材５１により埋められているため、基板材料と封止部材７との線膨張係数の違いに起因して発生する応力を小さくできる。したがって、切断時のマイクロクラック等の加工歪を起点とした素子基板２や保護基板４の破壊を確実に低減することができる。また、例えば多面取りの製造工程において配置されるダム材５０を粘着性ダム材５１に置き換えればよく、粘着物質で構成されているため欠落のおそれがなく、最終的に取り除く必要はないので工程の削減も可能となる。
【００５４】
また、上記実施形態においては、粘着性ダム材５１の構成材料をアクリル系の粘着材としたが、これに限られることは無く、上記実施形態で挙げた材料を含む他の材料を構成材料としても勿論構わない。
【００５５】
（第３の実施形態）
図１３は第３の実施形態に係る電気泳動表示装置の構造を示す概略断面図である。なお、上述した第１の実施形態に係る電気泳動表示装置１と共通する構成要素については同じ符号を用いており、それらについて詳細な説明は省略する。
【００５６】
本実施形態の電気泳動表示装置１５０は、接続基板８、素子基板２、ワイヤー接続、電気泳動シート３、保護基板４、封止部材７、を含んで構成されている。第１の実施形態に係る電気泳動表示装置１との相違点は張出し部の構成態様であり、以下この相違点について詳細に説明する。
【００５７】
本実施形態においては、第１の実施形態同様にダム材５０が設けられた領域に沿ってダイシングブレード（不図示）によってマザー基板の集合体（マザー接続基板４１、マザー素子基板４０、マザー保護基板４４）を切断して個々の電気泳動表示装置１を取り出す。そして、素子基板２や保護基板４の切断面の角部（稜部）に面取りを施す。該角部（稜部）に面取りを施すことにより、素子基板２および保護基板４の外縁側の端部において傾斜面２ｂ，４ｂを有する電気泳動表示装置１５０を得る。このように、面取り処理することによって、角部（稜部）に生じた欠けやマイクロクラック、鋭利に切り立った角が除去される。また、素子基板２上に形成された駆動回路素子２２，２３や電気的配線および電気泳動シート３は、封止部材７により保護されているので、面取り処理時に生じるガラス屑が配線等に付着することがない。
【００５８】
さらに好ましくは、面取り処理を施した電気泳動表示装置１５０の外縁をエッチング処理する。これにより、素子基板２および保護基板４の外縁の角部（稜部）が丸くなる。このようにエッチング処理することによって、角部（稜部）付近に生じた微細な欠けやクラックを除去し、さらに角部（稜部）に丸みを持たせることができる。このように基板端部において欠けやクラックがほとんどない状態にすることにより、応力による破壊の原因となる起点がなくなり、保護基板４や素子基板２の破壊や、駆動回路素子２２，２３、配線等の破損を防止することができる。
【００５９】
上述のエッチング処理は、エッチング液中に電気泳動表示装置１５０を浸漬して行われるウェットエッチングが好適であるが、エッチングガスを用いたドライエッチング方法なども使用できる。なお、図２に示すように、素子基板２から接続基板８が突出した側は、このような処理が困難なため、素子基板２の稜部の面取りやエッチングを行わなくてもよい。
【００６０】
（第４の実施形態）
次に、上述した実施形態に係る電気泳動表示装置を表示部として備える電子機器の一例について説明する。図１４は、電気泳動表示装置を適用した電子機器の具体例を説明する斜視図である。
図１４（ａ）は、電子機器の一例である電子ブックを示す斜視図である。この電子ブック１０００は、ブック形状の本体１００１と、この本体１００１に対して回動自在に設けられた（開閉可能な）カバー１００２と、操作部１００３と、本実施形態に係る電気泳動表示装置によって構成された表示部１００４と、を備えている。表示部１００４には、上記実施形態に係る電気泳動表示装置１または電気泳動表示装置１００あるいは電気泳動表示装置１５０のいずれかが搭載されている。
図１４（ｂ）は、電子機器の一例である腕時計を示す斜視図である。この腕時計１１００は、本実施形態に係る電気泳動表示装置によって構成された表示部１１０１を備えている。
上記表示部１００４および上記表示部１１０１には、上記実施形態に係る電気泳動表示装置１または電気泳動表示装置１００あるいは電気泳動表示装置１５０のいずれかが搭載されている。
なお、上記実施形態の電気泳動表示装置を適用可能な電子機器の範囲はこれに限定されず、電気泳動粒子（帯電粒子）の移動に伴う視覚上の色調の変化を利用した装置を広く含むものである。
【００６１】
なお、本発明の適用範囲は上述した各実施形態の内容に限定されるものではなく、本発明の要旨の範囲内において更に種々の変形を加えて実施することが可能である。例えば、第３の実施形態において、素子基板２および保護基板４の外縁の角部（稜部）を丸くする方法は、エッチング等の化学的な処理に限らない。例えば、電気泳動表示装置１５０を１つ１つ製造する場合には、矩形状の素子基板２や保護基板４の端部を予め機械的に研磨してＲ面取りする方法を用いてもよい。これによれば、各基板の４辺に亘って面取りを施すことができる。すなわち、基板の破壊に対する信頼性がさらに向上する。
【符号の説明】
【００６２】
１，１００，１５０…電気泳動表示装置、２…素子基板、３…電気泳動シート、４…保護基板、５…表示領域、６…非表示領域、７…封止部材、８…接続基板、１０…ワイヤー、１１…接着層、３０…透明基板、３１…電気泳動層、４０…マザー素子基板、４１…マザー接続基板、４４…マザー保護基板、５０…ダム材、５１…粘着性ダム材、１０００…電子機器としての電子ブック、１１００…電子機器としての腕時計。
【図１】
2010181856.tif 000003
【図２】
2010181856.tif 000004
【図３】
2010181856.tif 000005
【図４】
2010181856.tif 000006
【図５】
2010181856.tif 000007
【図６】
2010181856.tif 000008
【図７】
2010181856.tif 000009
【図８】
2010181856.tif 000010
【図９】
2010181856.tif 000011
【図１０】
2010181856.tif 000012
【図１１】
2010181856.tif 000013
【図１２】
2010181856.tif 000014
【図１３】
2010181856.tif 000015
【図１４】
2010181856.tif 000016
【図１５】
2010181856.tif 000017